【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
モバイル・デバイスの位置を識別するためのコンピューター・ベースの方法であって、
第１受信信号強度（ＲＳＳ）を用いて、第１グリッド空間と第１アクセス・ポイント（ＡＰ）との間の第１信号距離を決定するステップであって、前記第１ＲＳＳは、前記第１ＡＰにより受信したモバイル・デバイス信号強度のインジケーションを含み、前記決定するステップは、前記第１ＲＳＳをＡＰパス・ロス関数と組み合わせて前記第１の信号距離を決定するステップを含み、前記ＡＰパス・ロス関数はベース・パス・ロス関数を調整することによって得られる、ステップであって、前記調整することは、
前記第１ＡＰと第２ＡＰとの間の第１予測距離を、第１ＡＰのＲＳＳを用いて決定することであって、前記第１ＡＰのＲＳＳは前記第２ＡＰから送信され、前記第１ＡＰにより受信された信号の信号強度のインジケーションを含む、決定すること、
少なくとも前記第１予測距離と、第１の既知のＡＰ距離との組み合わせに基づいて第１ＡＰ差を決定することであって、前記第１の既知のＡＰ距離は前記第１ＡＰと第２ＡＰとの間の既知の距離を含む、決定すること、
少なくとも前記第１ＡＰ差に基づいて、前記ベース・パス・ロス関数を調整することを含む、ステップと、
前記第１信号距離と第１グリッド空間距離とを比較するステップであって、第１グリッド空間可能性スコアを結果として生じさせるものであり、前記第１グリッド空間距離は、前記第１ＡＰと前記第１グリッド空間との間の既知の距離を含む、ステップと、
少なくとも第１グリッド空間可能性スコアに基づいて、前記モバイル・デバイスの位置を識別するステップと
を含み、前記方法は、処理装置によりインプリメントされる、
方法。
【請求項２】
請求項１の方法であって、
第２グリッド空間に関して第２グリッド空間可能性スコアを決定するステップ
を含み、
前記モバイル・デバイスの位置を識別する前記ステップは、前記第１グリッド空間可能性スコアと前記第２グリッド空間可能性スコアとを比較するステップを含む、
方法。
【請求項３】
第２グリッド空間可能性スコアを決定するステップは、前記第１信号距離を第２グリッド空間距離と比較するステップを含み、前記第２グリッド空間距離は、前記第１ＡＰと第２グリッド空間との間の既知の距離を含む、請求項２に記載の方法。
【請求項４】
請求項１の方法であって、前記第１グリッド空間の既知の位置と前記第１ＡＰの既知の位置との間の距離を計算するステップを含む、前記第１グリッド空間距離を決定するステップを含む、方法。
【請求項５】
モバイル・デバイス識別子（ＩＤ）又は望ましい時間期間のうち一つ以上を示すモバイル・デバイス・ロケーション・クエリを受信するステップをさらに含む、請求項１に記載の方法。
【請求項６】
データベースから前記第１ＲＳＳを取得するステップであって、前記第１ＲＳＳは、
モバイル・デバイスＩＤ、
前記望ましい時間期間内の第１時間を示す第１タイムスタンプ、又は
前記第１ＲＳＳと関連し、前記望ましい時間期間内の第２時間を示す第１データ・パケット識別子（ＩＤ）のうちの１以上により索引付けされる、ステップを含む、請求項５に記載の方法。
【請求項７】
請求項１の方法であって、前記第１信号距離と第１グリッド空間距離とを比較する前記ステップは、前記第１信号距離と前記第１グリッド空間距離とを可能性スコア関数へ入力するステップを含む、方法。
【請求項８】
前記第１ＡＰから受信された第１ＲＳＳレポートにおける
モバイル・デバイスＩＤ、
前記第１ＲＳＳと関連する第１データ・パケットＩＤ、
前記第１ＲＳＳと関連する第１タイムスタンプ、
前記モバイル・デバイスの伝送パワーを示す伝送パワーデータ、
モバイル・デバイスのタイプ、
第１ＡＰ識別子（ＩＤ）、及び
前記第１ＡＰの位置
のうち１以上により索引付けされた前記第１ＲＳＳをデータベースに格納するステップを含む、請求項１に記載の方法。
【請求項９】
請求項１の方法であって、望ましいグリッド・レイアウトを識別するステップを含み、前記望ましいグリッド・レイアウトは、既知の位置にある前記第１グリッド空間と、前記モバイル・デバイスの位置とを含むエリアを含む、方法。
【請求項１０】
望ましいグリッド・レイアウトを識別するステップは、少なくとも前記第１ＡＰを含む前記エリアを選択するステップを含む、請求項９に記載の方法。
【請求項１１】
モバイル・デバイスの位置を識別するためのシステムであって、
前記モバイル・デバイスと関連する受信信号強度（ＲＳＳ）のインジケーションを用いて、前記モバイル・デバイスに関連するグリッド空間と、アクセス・ポイント（ＡＰ）との間の信号距離を決定するように構成される信号距離決定コンポーネントであって、前記信号距離決定コンポーネントは、前記ＡＰに関するベース・パス・ロス関数をＲＳＳのインジケーションと組み合わせて、前記信号距離を決定するよう構成されている、信号距離決定コンポーネントと、
第１ＡＰ  ＲＳＳを用いて前記ＡＰと第２ＡＰとの間の予測ＡＰ距離を決定するステップであって、前記第１ＡＰ  ＲＳＳは前記第２ＡＰから送信され、前記ＡＰにより受信される信号の信号強度のインジケーションを含む、ステップと、
少なくとも前記予測ＡＰ距離と既知のＡＰ距離の組み合わせに基づいてＡＰ差を決定するステップであって、前記既知のＡＰ距離は前記ＡＰと前記第２ＡＰとの間の既知の距離を含む、ステップと、
少なくとも前記ＡＰ差に基づいて前記ベース・パス・ロス関数を調整するステップ
によって前記ＡＰに関する前記ベース・パス・ロス関数を調整するよう構成された機能調整コンポーネントと、
前記信号距離決定コンポーネントと動作するように結合され、少なくとも、前記ＡＰと前記グリッド空間との間の前記信号距離と前記グリッド空間距離との比較に基づいて、前記グリッド空間に関してのグリッド空間可能性スコアを決定するように構成されるグリッド空間可能性スコア決定コンポーネントと、
前記グリッド空間可能性スコア決定コンポーネントと動作するように結合され、少なくとも前記グリッド空間可能性スコアに基づいて、前記モバイル・デバイスの位置を識別するように構成されるデバイス位置識別コンポーネントと
を含み、前記システムは、処理装置によりインプリメントされる、
システム。
【請求項１２】
請求項１１のシステムであって、グリッド空間位置を決定するように構成されるグリッド空間識別コンポーネントを含み、前記グリッド空間位置は、既知のＡＰ位置との組み合わせで前記グリッド空間距離を決定するために用いられる、システム。
【請求項１３】
前記グリッド空間識別コンポーネントは少なくとも前記既知のＡＰ位置に基づいてエリアに関する望ましいグリッド・レイアウトを決定するよう構成される、請求項１２に記載のシステム。
【請求項１４】
前記グリッド空間可能性スコアをグリッド空間スコア関数と組み合わせて、変更済みグリッド空間可能性スコアを結果として生じさせるように構成される、グリッド・スコア組み合わせコンポーネントを含む、請求項１１のシステム。
【請求項１５】
コンピュータ実行可能な命令を含むコンピュータ可読記憶デバイスであって、該命令は実行されるとモバイル・デバイスの位置を識別するための方法を実行し、該方法は、
第１受信信号強度（ＲＳＳ）を用いて、第１グリッド空間と第１アクセス・ポイント（ＡＰ）との間の第１信号距離を決定するステップであって、前記第１ＲＳＳは、前記第１ＡＰにより受信したモバイル・デバイス信号強度のインジケーションを含み、前記決定するステップは、前記第１ＲＳＳをＡＰパス・ロス関数と組み合わせて前記第１の信号距離を決定するステップを含み、前記ＡＰパス・ロス関数はベース・パス・ロス関数を調整することによって得られる、ステップと、
前記調整することは、
前記第１ＡＰと第２ＡＰとの間の第１予測距離を、第１ＡＰのＲＳＳを用いて決定することであって、前記第１ＡＰのＲＳＳは前記第２ＡＰから送信され、前記第１ＡＰにより受信された信号の信号強度のインジケーションを含む、決定することと、
少なくとも前記第１予測距離と、第１の既知のＡＰ距離との組み合わせに基づいて第１ＡＰ差を決定することであって、前記第１の既知のＡＰ距離は前記第１ＡＰと第２ＡＰとの間の既知の距離を含む、決定することと、
少なくとも前記第１ＡＰ差に基づいて、前記ベース・パス・ロス関数を調整することを含み、
前記第１信号距離と第１グリッド空間距離とを比較するステップであって、第１グリッド空間可能性スコアを結果として生じさせるものであり、前記第１グリッド空間距離は、前記第１ＡＰと前記第１グリッド空間との間の既知の距離を含む、ステップと、
少なくとも第１グリッド空間可能性スコアに基づいて、前記モバイル・デバイスの位置を識別するステップと
を含む、コンピュータ可読記憶デバイス。